(57)【要約】【課題】中扉による訴求を損なうことなくディスプレイ室に展示された商品見本を際立たせて展示することが可能な自動販売機の商品見本展示装置を提供する。【解決手段】ディスプレイ室５０を画成する透明板４０の前面に配設された複数の商品選択ボタン９１ｃを有し、かつ、前記透明板４０の背面側に配設された上部フランジ１０１下部フランジ１０２を有する略Ｃ字状の取付金具１００により前記商品選択ボタン９１ｃを透明板４０の前面に固着してなる商品選択ボタン装置９０を備えた自動販売機であって、商品情報表示部材２の装着部１１および当該装着部１１の上部に連ねて形成されるとともに複数の商品見本３を左右に並べて展示するステージ状の商品見本展示部１２からなるディスプレイ台１Ａを透明材料により形成し、前記装着部１１を略Ｃ字状の取付金具１００の上部フランジ１０１と下部フランジ１０２に跨る態様で取付金具１００に着脱自在に係止なることにより、中扉６０の前面の全領域を訴求面として活用することを可能とする。【選択図】図２
2014002709.tif 000002
【特許請求の範囲】
【請求項１】
庫内に商品を収納した本体キャビネットと、この本体キャビネットの前面を開閉する外扉と、この外扉に開閉可能に支持された中扉および外扉の前面を覆う透明板との間に画成されたディスプレイ室と、前記透明板の前面に配設された左右方向に複数の商品選択ボタンを有し、かつ、前記透明板の背面側に配設された上部フランジと下部フランジを有する略Ｃ字状の取付金具により前記商品選択ボタンを透明板の前面に固着してなる商品選択ボタン装置を備えた自動販売機において、横長帯状の商品情報表示部材の装着部および当該装着部の上部に連ねて形成されるとともに複数の商品見本を左右に並べて展示するステージ状の商品見本展示部からなるディスプレイ台を透明材料により形成し、前記装着部を略Ｃ字状の取付金具の上部フランジと下部フランジに跨る態様で取付金具に着脱自在に係止してなることを特徴とする自動販売機の商品見本展示装置。
【請求項２】
請求項１記載の自動販売機の商品見本展示装置において、ディスプレイ台は左右方向に複数に分割されてなることを特徴とする自動販売機の商品見本展示装置。
【請求項３】
請求項１記載の自動販売機の商品見本展示装置において、ディスプレイ台の商品見本展示部は薄い平板からなるシート状商品見本を展示する湾曲した一条の保持溝および立体状商品見本を展示する取付穴を前後方向に隣接して設けたことを特徴とする自動販売機の商品見本展示装置。
【請求項４】
請求項１記載の自動販売機の商品見本展示装置において、装着部は下端を前方に折り返して形成された断面Ｕ字状のガイド部を有し、当該ガイド部の底壁に商品情報表示部材の係合部と係合する係止部を有することを特徴とする自動販売機の商品見本展示装置。
【請求項５】
請求項３記載の自動販売機の商品見本展示装置において、ディスプレイ台の商品見本展示部における立体状商品見本を展示する取付穴の背後に左右方向に配設されたホルダーを追加装備してなることを特徴とする自動販売機の商品見本展示装置。
【請求項６】
請求項３記載の自動販売機の商品見本展示装置において、ディスプレイ台の商品見本展示部における薄い平板からなるシート状商品見本を展示する湾曲した一条の保持溝には互い違いに噛み合う鋸歯状の突起を有し、当該突起は保持溝に点在してなることを特徴とする自動販売機の商品見本展示装置。
【発明の詳細な説明】
【技術分野】
【０００１】
この発明は、本体キャビネットの前面を開閉する外扉に透明板を介して視認可能な商品見本を展示するディスプレイ室が形成され、当該ディスプレイ室の透明板の前面に配設された商品選択ボタン装置の操作により庫内に保存した商品を販売する自動販売機の商品見本展示装置に関するものである。
【背景技術】
【０００２】
この種の従来の自動販売機の商品見本展示装置について図９を用いて説明する。図９は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の商品見本８０を左右に一列に並べて載置した板金製のディスプレイ台７０が上下方向に３段並べて取り付けられている。前記透明板４０には、各ディスプレイ台７０と対峙する位置に商品選択ボタン装置９０が設けられ、商品選択ボタン装置９０は、ディスプレイ台７０に載置された各商品見本８０に対応して左右に一列に並べて設けた商品選択ボタン（不図示）を有して透明板４０の前面側に配置されると共に透明板４０の背面側に配置した取付金具にねじ止めして固着されている。さらに、外扉２０の前面には、硬貨識別装置２０１に連通する硬貨投入口、紙幣識別装置２０２に連通する紙幣挿入口、硬貨返却口、返却レバーおよびロック付ハンドル、商品取出口２０３などが設けられている（例えば、特許文献１）。
【０００４】
前記ディスプレイ台７０は、周知であるので詳細な図示は省略するが、中扉６０に形成した係止穴に係止された左右一対の固定部材とこの左右一対の固定部材に着脱自在に装着される商品載置台からなる。前記商品載置台は、縦断面略コ字形で下方が開放した横長箱状体の内部に蛍光灯などの照明光源が設けられ、その上面壁には商品見本８０を嵌合保持する係合穴が左右方向に複数並設されている。また、商品載置台の前面壁には各商品見本８０に対応する商品のコールド，ホット状態を表す冷温パターンを表示する冷温表示板および商品の価格情報を表示する価格表示板が装着される。
【０００５】
前記商品見本８０は光透過材料により形成された中空状の本体の底面に光導入部を設け、前記光導入部から本体の内部に光を導入して本体を内側から照明するように構成されている。前記商品見本８０は前記ディスプレイ台７０に形成した取付穴に嵌合保持されると、ディスプレイ台７０の内部に設けた照明光源からの光がディスプレイ台７０の取付穴と商品見本８０の底部に形成した光導入部とを通して中空状の商品見本の内部に照射され、商品見本が恰も発光しているように展示されることは周知である。前記商品見本８０は立体状、具体的には、缶，瓶，ペットボトルなどの容器形状に一致させた中空状の本体を備えた商品見本や、前記中空状の本体を半分に切断した半割り状の商品見本などがディスプレイ台に形成した開口部に嵌合保持するようにされている。
【０００６】
また、前記ディスプレイ台７０を透明材料により形成することによりディスプレイ台７０に載置された商品見本８０があたかも宙に浮いているように展示した商品見本展示装置も知られている（例えば、特許文献２）。
【先行技術文献】
【特許文献】
【０００７】
【特許文献１】特開２００３−６７２２号公報
【特許文献２】特開２００６−３３０９１０号公報
【発明の概要】
【発明が解決しようとする課題】
【０００８】
ところで、従来の自動販売機の商品見本展示装置は、中扉６０に固着されたディスプレイ台７０に商品見本８０を展示するように構成されている。このため、中扉６０の前面の全領域を訴求面として利用、例えば中扉６０の前面の全領域に対応する大きさの一枚のポスターを貼り付ける場合、ディスプレイ台７０を中扉６０に係止するための係止穴が隠れてしまうことからディスプレイ台７０の中扉６０への係止作業が煩雑であり、また、ポスターを交換する際にはディスプレイ台７０を取り外さねばならないという課題を有する。この場合、ディスプレイ台７０が中扉６０の前面から離隔するように浮かせるとともにディスプレイ台７０の左右端部を中扉６０に係止させ、中扉６０の前面とディスプレイ台７０との間の隙間にポスターを挿通させることが考えられるが、この場合にはディスプレイ室の奥行き幅を広げねばならず、自動販売機の奥行き幅が大きくなるという問題を有する。
【０００９】
そこで、本発明は上記の点に鑑みなされたものであり、その目的は前記課題を解決し、中扉による訴求を損なうことなくディスプレイ室に展示された商品見本を際立たせて展示することが可能な自動販売機の商品見本展示装置を提供することにある。
【課題を解決するための手段】
【００１０】
上記目的を達成するため請求項１に係る発明は、庫内に商品を収納した本体キャビネットと、この本体キャビネットの前面を開閉する外扉と、この外扉に開閉可能に支持された中扉および外扉の前面を覆う透明板との間に画成されたディスプレイ室と、前記透明板の前面に配設された左右方向に複数の商品選択ボタンを有し、かつ、前記透明板の背面側に配設された上部フランジと下部フランジを有する略Ｃ字状の取付金具により前記商品選択ボタンを透明板の前面に固着してなる商品選択ボタン装置を備えた自動販売機において、横長帯状の商品情報表示部材の装着部および当該装着部の上部に連ねて形成されるとともに複数の商品見本を左右に並べて展示するステージ状の商品見本展示部からなるディスプレイ台を透明材料により形成し、前記装着部を略Ｃ字状の取付金具の上部フランジと下部フランジに跨る態様で取付金具に着脱自在に係止してなることを特徴とする。
【００１１】
また、請求項２に係る発明は、請求項１記載の自動販売機の商品見本展示装置において、ディスプレイ台は左右方向に複数に分割されてなることを特徴とする。
【００１２】
また、請求項３に係る発明は、請求項１記載の自動販売機の商品見本展示装置において、ディスプレイ台の商品見本展示部は薄い平板からなるシート状商品見本を展示する湾曲した一条の保持溝および立体状商品見本を展示する取付穴を前後方向に隣接して設けたことを特徴とする。
【００１３】
また、請求項４に係る発明は、請求項１記載の自動販売機の商品見本展示装置において、装着部は下端を前方に折り返して形成された断面Ｕ字状のガイド部を有し、当該ガイド部の底壁に商品情報表示部材の係合部と係合する係止部を有することを特徴とする。
【００１４】
また、請求項５に係る発明は、請求項３記載の自動販売機の商品見本展示装置において、ディスプレイ台の商品見本展示部における立体状商品見本を展示する取付穴の背後に左右方向に配設されたホルダーを追加装備してなることを特徴とする。
【００１５】
また、請求項６に係る発明は、請求項３記載の自動販売機の商品見本展示装置において、ディスプレイ台の商品見本展示部における薄い平板からなるシート状商品見本を展示する湾曲した一条の保持溝には互い違いに噛み合う鋸歯状の突起を有し、当該突起は保持溝に点在してなることを特徴とする。
【発明の効果】
【００１６】
本発明の請求項１に係る発明によれば、庫内に商品を収納した本体キャビネットと、この本体キャビネットの前面を開閉する外扉と、この外扉に開閉可能に支持された中扉および外扉の前面を覆う透明板との間に画成されたディスプレイ室と、前記透明板の前面に配設された左右方向に複数の商品選択ボタンを有し、かつ、前記透明板の背面側に配設された上部フランジと下部フランジを有する略Ｃ字状の取付金具により前記商品選択ボタンを透明板の前面に固着してなる商品選択ボタン装置を備えた自動販売機の商品見本展示装置において、横長帯状の商品情報表示部材の装着部および当該装着部の上部に連ねて形成されるとともに複数の商品見本を左右に並べて展示するステージ状の商品見本展示部からなるディスプレイ台を透明材料により形成し、前記装着部を略Ｃ字状の取付金具の上部フランジと下部フランジに跨る態様で取付金具に着脱自在に係止してなることにより、ディスプレイ室を画成する中扉にディスプレイ台を係止する必要がないので、中扉の前面の全領域を訴求面として活用することができるとともに中扉の訴求面にポスターを貼り付ける場合にもディスプレイ台が邪魔になることがなく、ポスターの交換を容易に行うことができる。また、ディスプレイ台が透明材料により形成されているので、商品見本を宙に浮かんでいるように際立たせて展示することができる。
【００１７】
また、本発明の請求項２に係る発明によれば、請求項１記載の自動販売機の商品見本展示装置において、ディスプレイ台は左右方向に複数に分割されてなることにより、商品収納数に応じて横幅が異なる複数種類の機種の自動販売機に専用のディスプレイ台を用意することなく、複数に分割されたディスプレイ台を適宜組合わせることにより複数の機種に対応することが可能となる。
【００１８】
また、本発明の請求項３に係る発明によれば、請求項１記載の自動販売機の商品見本展示装置において、ディスプレイ台の商品見本展示部は薄い平板からなるシート状商品見本を展示する湾曲した一条の保持溝および立体状商品見本を展示する取付穴を前後方向に隣接して設けたことにより、シート状商品見本若しくは立体状商品見本を一つのディスプレイ台により展示することができるので、シート状商品見本および立体状商品見本を混在して展示することもできる。
【００１９】
また、本発明の請求項４に係る発明によれば、請求項１記載の自動販売機の商品見本展示装置において、装着部は下端を前方に折り返して形成された断面Ｕ字状のガイド部を有し、当該ガイド部の底壁に商品情報表示部材の係合部と係合する係止部を有することにより、装着部に装着された商品情報表示部材、例えば商品見本展示部に展示された商品見本の冷温情報を表示する冷温表示板が左右方向にずれることを防止することができる。
【００２０】
また、本発明の請求項５に係る発明によれば、請求項３記載の自動販売機の商品見本展示装置において、ディスプレイ台の商品見本展示部における立体状商品見本を展示する取付穴の背後に左右方向に配設されたホルダーを追加装備してなることにより、商品見本の近傍に訴求表示部材を取り付けて販売促進を図ることが可能となる。
【００２１】
さらに、本発明の請求項５に係る発明によれば、請求項３記載の自動販売機の商品見本展示装置において、ディスプレイ台の商品見本展示部における薄い平板からなるシート状商品見本を展示する湾曲した一条の保持溝には互い違いに噛み合う鋸歯状の突起を有し、当該突起は保持溝に点在してなることにより、シート状商品見本の保持溝への差し込み作業が容易であり、かつ、熱膨張率の高いアクリル樹脂などからなるシート状商品見本が外気温により伸縮し、特に太陽光の直射によって著しく伸長した際にもシート状商品見本の熱膨張に伴う伸縮を許容するのでシート状商品が変形することを防止することができる。
【図面の簡単な説明】
【００２２】
【図１】本発明の実施の形態１に係る自動販売機の商品見本展示装置を示す要部斜視図である。
【図２】図１のＡ−Ａ断面を示し、（ａ）はその断面図、（ｂ）はその断面を含む斜視図である。
【図３】図１のディスプレイ台を示し、（ａ）はその斜視図、（ｂ）は（ａ）の一部切欠断面図、（ｃ）はシート状商品見本を展示する湾曲した一条の保持溝を説明する平面図である。
【図４】ディスプレイ台から商品情報表示部材を分解した分解斜視図である。
【図５】本発明の実施の形態２に係る自動販売機の商品見本展示装置を示し、（ａ）はディスプレイ台の斜視図、（ｂ）は（ａ）のＢ−Ｂ断面図、（ｃ）は（ａ）のディスプレイ台に商品情報表示部材を装着した状態の正面図である。
【図６】本発明の実施の形態３に係る自動販売機の商品見本展示装置を示し、（ａ）はディスプレイ台の背面斜視図、（ｂ）は商品情報表示部材の取り外しを説明する図である。
【図７】本発明の実施の形態４に係る自動販売機の商品見本展示装置を示し、（ａ）はディスプレイ台の斜視図、（ｂ）は（ａ）の一部切欠平面図、（ｃ）は（ａ）の側面図である。
【図８】図７のディスプレイ台に商品見本などを展示した状態を示す斜視図である。
【図９】本発明が対象とする自動販売機の一例を示す斜視図である。
【発明を実施するための形態】
【００２３】
以下、本発明の実施の形態に係る自動販売機の商品見本展示装置について添付図面を参照して説明する。なお、本発明の実施の形態に係る自動販売機の商品見本展示装置が従来装置と相違する点は特に商品選択ボタン装置の周辺であり、ここでは従来装置と相違する商品選択ボタン装置の周辺について説明することとし、また、自動販売機の全体構成は図９に示したものと同一であるので適宜図９を参照しつつ説明を行う。
【００２４】
（実施の形態１）
図１において、２０で再び外扉を示し、外扉２０の前面の上部域は透明板４０で覆われ、この透明板４０と外扉２０に開閉可能に支持された中扉６０との間の空間がディスプレイ室５０として形成されている。前記透明板４０には商品選択ボタン装置９０が設けられ、透明板４０の背面に設けられた取付金具１００により取り付けられている。図１において、１Ａはディスプレイ室に配設されたディスプレイ台であり、このディスプレイ台１Ａは透明な樹脂成形品として形成されている。前記ディスプレイ台１Ａは商品選択ボタン装置９０の取付金具１００に取り付けられるものであるが、この取り付けに先立ち、商品選択ボタン装置９０および取付金具１００について説明する。
【００２５】
前記商品選択ボタン装置９０は、図２に示すように、前面カバー９１ａとベース基板９１ｂとを組合せ、かつ前面カバー９１ａに透明樹脂で作られた商品選択ボタン９１ｃを組み込んだ樹脂成形品としてなる断面半月状の釦ケース９１にプリント板９１ｄが内蔵されている。前記プリント板９１ｄには商品選択ボタン９１ｃにより作動するスイッチ素子，販売可能表示用／売切表示用の発光ダイオード，入出力制御用ＩＣ，外部接続用端子などの各種部品が実装されている。前記プリント板９１ｄの外部接続用端子はベース基板９１ｂの背面側に引き出されてコネクタ（不図示）に接続されている。また、ベース基板９１ｂには背面側に突出する複数のボス９１ｅを備え、当該ボス９１ｅ内には取り付けねじＳ１が螺合するインサートナットが埋設されている。なお、前記コネクタを囲繞するボス（不図示）がベース基板９１ｂの背面側に突出して形成されており、これらのボス９１ｅが貫通する貫通穴が透明板４０に形成されている。
【００２６】
前記商品選択ボタン装置９０の取付金具１００は、上部フランジ１０１と下部フランジ１０２を有する略Ｃ字状に形成されており、前記ボス９１ｅが貫通する穴が形成され、前述したインサートナットに取り付けねじＳ１を螺合させることにより前記商品選択ボタン装置９０を保持している。また、釦ケース９１に内蔵されたプリント板９１ｄから引き出されたコネクタには、取付金具１００に沿って配線した周知（特許文献１等）の制御信号伝送用ハーネスのカプラ（不図示）が接続されている。
【００２７】
さて、図３にも示すように、透明な樹脂成形品としてなるディスプレイ台１Ａは、横長帯状の商品情報表示部材２（後述する図４参照）の装着部１１および当該装着部１１の上部に連ねて形成されるとともに複数の商品見本３（この実施の形態ではシート状商品見本３１，立体状商品見本３２からなる）を左右に並べて展示するステージ状の商品見本展示部１２からなる。前記装着部１１は横長平板状の基部１１１の下端を前方に折り返して断面Ｕ字状のガイド部１１２が形成され、基部１１１の左右両端には前方に延在するフック片１１３が形成されている。前記ガイド部１１２の上端から前方に延在する庇部１１４には複数の係合突起１１５が形成されている。前記ガイド部１１２の底壁には、図３の（ｂ）に示すように、商品情報表示部材２の係合部（後述する図４に示す係合溝２１Ａ，２２Ａ）と係合する係止部１１２Ａを有する。
【００２８】
前記商品見本展示部１２は、ステージ状の商品載置部１２１に、薄い平板からなるシート状商品見本３１を展示する湾曲した一条の保持溝１２２および立体状商品見本３２を展示する取付穴１２３が前後方向に隣接して形成され、前後に隣接した保持溝１２２および取付穴１２３を左右方向に複数、この実施の形態では６個並べて形成されている。前記一条の保持溝１２２はそれぞれ前方側に凸の湾曲状の保持部１２１Ａに上方に開放する態様で形成されている。前記保持溝１２２は、図３の（ｃ）に示すように、前後に対向する内壁に互い違いに噛み合う鋸歯１２２Ａが形成され、両者の鋸歯１２２Ａの先端の間に生じる微小間隙として構成され、当該微小間隙に挿入されたシート状商品見本３１を保持するものである。ここで、薄いシート状商品見本３１は保持溝１２２により前方に凸の態様で湾曲して保持されることから自立して展示される。前記取付穴１２３は、立体状商品見本３２の底部に形成された光導入部と整合する形状、ここでは略半円形状に形成され、立体状商品見本３２の光導入部を保持して立体状の商品見本３２を展示するのは周知のとおりである。
【００２９】
ここで、前記ディスプレイ台１Ａは商品選択ボタン装置９０と同様に左右方向に複数に分割して形成されている。すなわち、自動販売機は商品収納数に応じて横幅が異なる複数種類の機種が用意されており、これに伴い機種ごとにディスプレイ室５０に展示される商品見本３の数も異なる。この実施の形態（図１）では各段に１２個の商品見本３を展示する機種を例示しているが、１０個の商品見本３を展示する機種、８個の商品見本を展示する機種などがある。このような自動販売機の機種に対応すべく、商品選択ボタン装置９０は、図１に例示するような商品選択ボタン９１ｃが６個並設されたユニットからなる６連の商品選択ボタン装置および商品選択ボタン９１ｃが４個並設されたユニットからなる４連の商品選択ボタン装置が用意され、１２個の商品見本３を展示する機種の自動販売機には２個の６連の商品選択ボタン装置を左右に並べて配置し、１０個の商品見本３を展示する機種の自動販売機には６連の商品選択ボタン装置と４連の商品選択ボタン装置を左右に並べて配置し、８個の商品見本を展示する機種の自動販売機には２個の４連の商品選択ボタン装置を左右に並べて配置するように構成されている。この商品選択ボタン装置９０と同様に、ディスプレイ台１Ａも６個の商品見本３を展示するモジュールおよび４個の商品見本３を展示するモジュールを有し、自動販売機の機種に応じてそれぞれモジュールを組み合わせて配置するように構成されている。
【００３０】
次に、前記ディスプレイ台１Ａの取付金具１００への取り付けについて図２を参照しつつ説明する。なお、商品選択ボタン装置９０の取付金具１００については周知のものであるが、取付金具１００については次の点が従来のものとは相違している。すなわち、図２に示すように、上フランジ１０１にはディスプレイ台１Ａの係合突起１１５を係止固定する複数の係止穴１０１ａが形成され、下フランジ１０２にはディスプレイ台１Ａのフック片１１３を係止固定する左右一対の係合穴１０２ａが形成されている点が従来のものと相違している。かかる取付金具１００への前記ディスプレイ台１Ａの取り付けは、まず、ディスプレイ台１Ａの商品見本展示部１２が透明板４０に接近するようにディスプレイ台１Ａを前傾姿勢に傾斜させた状態で、ディスプレイ台１Ａの庇部１１４に形成された複数の係合突起１１５を取付金具１００の上フランジ１０１に形成された係止穴１０１ａに対峙させて係止させる。この状態でディスプレイ台１Ａのフック片１１３は下フランジ１０２よりも上方に位置しているので、フック片１１３を下方に撓ませて下フランジ１０２の下方に潜り込ませる。次いで、ディスプレイ台１Ａを前傾姿勢から商品見本展示部１２が水平となる展示姿勢に移動させるとフック片１１３が下フランジ１０２の係合穴１０２ａに向けて下フランジ１０２の壁面を摺動しつつ移動する。そして、フック片１１３が下フランジ１０２の係合穴１０２ａに係合するとディスプレイ台１Ａは展示姿勢となって、係合突起１１５が取付金具１００の上フランジ１０１に形成された係止穴１０１ａに係止され、フック片１１３が取付金具１００の下フランジ１０２に形成された係合穴１０２ａに係合された状態で取付金具１００に係止固定される。このように、取付金具１００に係止固定された状態でディスプレイ台１Ａは、取付金具１００の上フランジ１０１と下フランジ１０２の開放端部を閉塞して取付金具１００に沿って配線させた制御信号伝送用ハーネスの脱落を防止する。なお、前記ディスプレイ台１Ａの取り外しは前記と逆の手順で、フック片１１３を撓ませて下フランジ１０２の係合穴１０２ａから離脱させたうえでディスプレイ台１Ａを前傾姿勢に傾動させて係合突起１１５を上フランジ１０１の係止穴１０１ａから離脱させればよい。
【００３１】
このように、取付金具１００に装着されたディスプレイ台１Ａの商品見本展示部１２に商品見本３が載置される。この場合、商品見本展示部１２の取付穴１２３に立体状商品見本３２を展示する点は周知のとおりである。一方、シート状商品見本３１は下端の一部のみが保持溝１２２に挿入されて保持されることとなるが、保持溝１２２が湾曲していることからシート状商品見本３１も保持溝１２２の湾曲に倣って横断面が前方側に凸となるように湾曲した状態で起立する。このように、シート状商品見本３１を湾曲させて保持することにより薄いプラスチックシートからなるシート状商品見本３１を安定した起立姿勢に自立させることができる。なお、ディスプレイ台１Ａの装着部１１の背後および商品見本展示部１２の下方の空間には不図示の発光ダイオードユニットが配設され、この発光ダイオードユニットからの照射光により商品見本３が照明されるものである。
【００３２】
ここで、ディスプレイ台１Ａの装着部１１に装着される商品情報表示部材２を図４に示す。図４に示す商品情報表示部材２は、商品見本展示部１２に展示された商品見本３の冷温情報を表示する冷温表示板２１と、商品の価格情報を表示する価格表示板２２からなる。
【００３３】
冷温表示板２１は、透明なプラスチックからなる横長帯状体として形成されている。冷温表示板２１の上下領域には、本体キャビネット１０の庫内に収納した商品の冷蔵・温蔵状態を表す冷温パターン、例えば、商品の温蔵状態を表す冷温パターンとして白抜きの文字（例えば「ＨＯＴ」）の背景に暖色の背景色（例えば赤色）の冷温パターン２１ａ、また、商品の冷蔵状態を表す冷温パターンとして白抜きの文字（例えば「ＣＯＬＤ」）の背景に寒色の背景色（例えば青色）の冷温パターン２１ｂが上下逆さまに印刷してある。なお、冷温パターン２１ａ，２１ｂは冷温表示板２１の左右方向にディスプレイ台１Ａに載置された複数の商品見本３に対応して複数（この実施の形態では６個）設けてある。また、冷温表示板２１の上下両縁には複数の係合溝２１Ａ・・・が形成されている。
【００３４】
価格表示板２２は、冷温表示板２１の幅に略一致する幅の短冊状に形成された透明なプラスチックからなり、その前面の上方域には商品の価格情報を表す価格パターン２２ａ（例えば不透明な背景に「￥１２０」の白抜き文字）が印刷してある一方、下方域は透明に形成されている。この価格パターン２２ａは、その左右方向にディスプレイ台１Ａに載置した複数の商品見本３に対応して複数（本実施の形態では６個）設けてある。また、価格表示板２２の上下両縁には複数の係合溝２２Ａ・・・が形成されている。
【００３５】
前記冷温表示板２１および価格表示板２２は、ディスプレイ台１Ａにおける装着部１１のガイド部１１２にそれぞれ価格表示板２２が前方側に位置するとともに冷温表示板２１が後方側に位置するように重ね合わせて挿入することにより、装着部１１の基部１１１に沿って装着される。この場合、冷温表示板２１および価格表示板２２のそれぞれの下縁に形成した係合溝２１Ａ，２２Ａがガイド部１１２の底壁に形成した係止部１１２Ａに嵌合して冷温表示板２１および価格表示板２２の左右方向への移動が規制されるとともに位置決めされる。このようにディスプレイ台１Ａにおける装着部１１に装着された商品情報表示部材２の上方域に価格表示板２２の価格パターン２２ａが表示され、商品情報表示部材２の下方域に価格表示板２２の後方に位置する冷温表示板２１の冷温パターン２１ｂが表示される。
【００３６】
前述したように、この実施の形態１に係る自動販売機の商品見本展示装置によれば、横長帯状の商品情報表示部材２の装着部１１および当該装着部１１の上部に連ねて形成されるとともに複数の商品見本３を左右に並べて展示するステージ状の商品見本展示部１２からなるディスプレイ台１Ａを透明材料により形成し、前記装着部１１を略Ｃ字状の取付金具１００の上部フランジ１０１と下部フランジ１０２に跨る態様で取付金具１００に着脱自在に係止してなることにより、ディスプレイ室５０を画成する中扉６０にディスプレイ台１Ａを係止する必要がない。したがって、中扉６０の前面の全領域を訴求面として活用することができるとともに中扉６０の訴求面にポスターを貼り付ける場合にもディスプレイ台１Ａが邪魔になることがなく、ポスターの交換を容易に行うことができる。また、ディスプレイ台１Ａが透明材料により形成されているので、商品見本３を宙に浮かんでいるように際立たせて展示することができる。
【００３７】
（実施の形態２）
本発明の実施の形態２に係る自動販売機の商品見本展示装置について図５を用いて説明する。なお、図５において、図３に示したものと同一のものには同一の符号を付してその説明を省略する。
【００３８】
図５に示す実施の形態２の自動販売機の商品見本展示装置が、実施の形態１の自動販売機の商品見本展示装置と相違する点は、商品情報表示部材２を位置決めする係止部の設置位置が異なる点である。すなわち、実施の形態１においてはディスプレイ台１Ａのガイド部１１２の底壁に係止部１１２Ａが形成されているのに対し、この実施の形態２においてはディスプレイ台１Ｂの装着部１１における基部１１１の上方部に係止部１１２Ｂを設けており、その他の構成は実施の形態１のディスプレイ台１Ａと同一であるので重複する説明は割愛する。
【００３９】
図５に示すように、この実施の形態２においてはディスプレイ台１Ｂの装着部１１における基部１１１の上方部に係止部１１２Ｂが突出して形成されている。前記係止部１１２Ｂは、商品情報表示部材２の係合部、すなわち、図４に示した冷温表示板２１の上縁に形成した係合溝２１Ａ，価格表示板２２の上縁に形成した係合溝２２Ａが嵌合するように形成されている。したがって、前記ディスプレイ台１Ｂの装着部１１におけるガイド部１１２に商品情報表示部材２を装着したうえでその係合部（図４に示した冷温表示板２１の上縁に形成した係合溝２１Ａ，価格表示板２２の上縁に形成した係合溝２２Ａ）を係止部１１２Ｂに嵌合させると商品情報表示部材２（冷温表示板２１および価格表示板２２）の左右方向への移動が規制されるとともに位置決めされる。また、前記係止部１１２Ｂはディスプレイ台１Ｂに装着された商品情報表示部材２（冷温表示板２１および価格表示板２２）が上方に移動するのを規制するので、ディスプレイ台１Ｂを取り外した場合にも商品情報表示部材２（冷温表示板２１および価格表示板２２）が脱落するおそれがない。
【００４０】
（実施の形態３）
本発明の実施の形態３に係る自動販売機の商品見本展示装置について図６を用いて説明する。なお、図６において、図３に示したものと同一のものには同一の符号を付してその説明を省略する。
【００４１】
図６に示す実施の形態３の自動販売機の商品見本展示装置が、実施の形態１の自動販売機の商品見本展示装置と相違する点は、ディスプレイ台１Ｃの装着部１１における基部１１１の下方域に開口部１１１Ｃを設けた点であり、その他の構成は実施の形態１のディスプレイ台１Ａと同一であるので重複する説明は割愛する。
【００４２】
図６に示すように、ディスプレイ台１Ｃの装着部１１における基部１１１の下方域には複数の開口部１１１Ｃが形成されている。前記開口部１１１Ｃには、ディスプレイ台１Ｃの装着部１１に装着された商品情報表示部材２が臨むように形成されており、前記開口部１１１Ｃを介して商品情報表示部材２を指により上方へ移動させることが可能である。したがって、ディスプレイ台１Ｃを、図２に示した商品選択ボタン装置９０の取付金具１００に取り付けた状態において、ディスプレイ台１Ｃの装着部１１に装着した商品情報表示部材２を当該ディスプレイ台１Ｃの背面側から前記開口部１１１Ｃを介して上方へ移動させることにより商品情報表示部材２を取り外すことができる。つまり、ディスプレイ台１Ｃを取り外すことなく商品情報表示部材２の交換作業を行うことができるものである。
【００４３】
（実施の形態４）
本発明の実施の形態４に係る自動販売機の商品見本展示装置について図７および図８を用いて説明する。なお、図７および図８において、図３に示したものと同一のものには同一の符号を付してその説明を省略する。
【００４４】
図７および図８に示す実施の形態４の自動販売機の商品見本展示装置が、実施の形態１の自動販売機の商品見本展示装置と相違する点は、実施の形態１の自動販売機の商品見本展示装置ではディスプレイ台１Ａにおける商品見本展示部１２のステージ状の商品載置部１２１の前面が前方側に凸の湾曲状に形成、つまり、薄い平板からなるシート状商品見本３１を展示する湾曲した一条の保持溝１２２を配設するために前方側に凸の湾曲状の保持部１２１Ａとして形成されているのに対し、この実施の形態４の自動販売機の商品見本展示装置においては商品見本展示部１２Ｄのステージ状の商品載置部１２１Ｄの前面が直線状であって、商品情報表示部材２の装着部１１を構成する基部１１１に段差なく連なっている点、および商品載置部１２１Ｄの立体状商品見本３２を展示する取付穴１２３の背後に左右方向に配設されたレール状のホルダー１３を設けた点である。その他の構成は実施の形態１のディスプレイ台１Ａと同一であるので重複する説明は割愛する。
【００４５】
図７に示すように、この実施の形態４におけるディスプレイ台１Ｄは商品見本展示部１２Ｄのステージ状の商品載置部１２１Ｄの前面が直線状であって、当該商品載置部１２１Ｄが商品情報表示部材２の装着部１１を構成する基部１１１に段差なく連なっている。このため、実施の形態１におけるディスプレイ台１Ａのように前方側に凸の湾曲状の保持部１２１Ａに照明光源からの光が照射された場合に生じるおそれのある影を無くすことができる。
【００４６】
前記商品見本展示部１２Ｄのステージ状の商品載置部１２１Ｄには、薄い平板からなるシート状商品見本３１を展示する湾曲した一条の保持溝１２２Ｄおよび立体状商品見本３２を展示する取付穴１２３が前後方向に隣接して形成され、前後に隣接した保持溝１２２Ｄおよび取付穴１２３を左右方向に複数、この実施の形態では６個並べて形成されている。前記一条の保持溝１２２Ｄの前後に対向する内壁には互い違いに噛み合う鋸歯状の突起ＰＪが形成されており、両者の突起ＰＪの先端の間に微小間隙が生じるように構成されている。前記鋸歯状の突起ＰＪは保持溝１２２Ｄに点在、ここでは円弧両端部と円弧中央部の３点にそれぞれ形成されている。また、前記商品見本展示部１２Ｄのステージ状の商品載置部１２１Ｄには、立体状商品見本３２を展示する取付穴１２３の背後に左右方向に配設されたレール状のホルダー１３が設けられている。このホルダー１３は、前後に対峙する前方レール部１３１と後方レール部１３２からなり、前方レール部１３１と後方レール部１３２との対峙する壁面には互い違いに噛み合う鋸歯状の突起ＰＪが左右方向に点在して形成されており、両者の突起ＰＪの先端の間に微小間隙が生じるように構成されている。このホルダー１３は、後述するシート状の訴求表示部材３３を係止保持するものである。
【００４７】
さて、図８に示すように、ディスプレイ台１Ｄにおける商品見本展示部１２Ｄの商品載置部１２１Ｄに形成された一条の保持溝１２２Ｄと取付穴１２３とには、実施の形態１と同様にシート状商品見本３１と立体状商品見本３２とがそれぞれ装着されて展示される。また、商品載置部１２１Ｄに形成された取付穴１２３の背後であって左右方向に配設されたホルダー１３には訴求表示部材３３が装着される。図８では、訴求表示部材３３を説明するために商品載置部１２１Ｄの対応する箇所に展示される立体状商品見本３２若しくはシート状商品見本３１は図示を省略している。前記訴求表示部材３３は商品載置部１２１Ｄに展示された立体状商品見本３２若しくはシート状商品見本３１に係る飲料を表現する模様、例えば飲料が炭酸飲料である場合には泡をイメージした模様（図では泡模様）などを印刷した矩形平板状のシートからなるものでる。前記訴求表示部材３３はその下端を、ホルダー１３を構成する前方レール部１３１と後方レール部１３２との間に差し込むことにより起立状態で展示される。この場合、前方レール部１３１と後方レール部１３２との対峙する壁面には互い違いに噛み合う鋸歯状の突起ＰＪ（図７参照）が形成されているので、前方レール部１３１と後方レール部１３２との間に差し込まれた訴求表示部材３３は位置決めされて安定した起立姿勢に維持される。なお、図８に示した訴求表示部材３３は商品載置部１２１Ｄよりも短い矩形平板状のものについて説明したが、商品載置部１２１Ｄの長さに一致、若しくは連接された２個のディスプレイ台１Ｄ，１Ｄに跨る長さの横長帯状のシートとすることもできるものである。また、訴求表示部材３３は、シート状商品見本３１と同様の大きさに作製するとともに一条の保持溝１２２Ｄに装着して立体状商品見本３２の前方に個別に配設することもできる。
【００４８】
ここで、商品載置部１２１Ｄにおける一条の保持溝１２２Ｄに形成されたところの、互い違いに噛み合う鋸歯状の突起ＰＪはシート状商品見本３１（若しくは個別の訴求表示部材３３）を保持する点では実施の形態１と同様である。しかしながら、実施の形態１では保持溝１２２に鋸歯１２２Ａが連続して形成されているのに対し、この実施の形態４では鋸歯状の突起ＰＪが保持溝１２２Ｄに点在して形成されていることにより次のような利点を有する。すなわち、実施の形態１のように保持溝１２２に鋸歯１２２Ａが連続して形成されている場合（（図３の（ｃ）参照）には、連続する鋸歯１２２Ａによって保持溝１２２の全域に形成される微小間隙にシート状商品見本３１を差し込まねばならないので、その作業が煩雑であり、かつ、熱膨張率の高いアクリル樹脂などからなるシート状商品見本３１が外気温により伸縮し、特に太陽光の直射によって著しく伸長した際、シート状商品見本３１が連続する鋸歯１２２Ａによって伸縮が阻止されることから変形してしまうおそれがある。かかる点、この実施の形態４では鋸歯状の突起ＰＪが保持溝１２２Ｄに点在して形成されていることから、シート状商品見本３１の保持溝１２２Ｄへの差し込み作業が容易であり、かつ、シート状商品見本３１の熱膨張に伴う伸縮を許容するのでシート状商品３１が変形することがないものである。この場合、保持溝１２２Ｄにおける円弧両端部と円弧中央部の３点にそれぞれ形成された鋸歯状の突起ＰＪのうち、円弧中央部のみ、或いは円弧両端部の突起ＰＪのいずれか一方のみ（例えば、右端側の突起ＰＪ）がシート状商品見本３１を把持し、残りの突起ＰＪについてはシート状商品見本３１が起立姿勢を維持するように支えるものとするのが良い。このように、シート状商品見本３１の左右中央部のみ、或いは左右端部の一方のみを把持しておけば、シート状商品見本３１は左右方向、或いは左右他方方向に自由に伸縮することが可能となる。
【００４９】
なお、保持溝１２２Ｄの長さはシート状商品見本３１の伸縮を加味してシート状商品見本３１の横幅よりも長く形成されていることは言うまでもない。また、保持溝１２２Ｄに点在して形成された鋸歯状の突起ＰＪのうち、シート状商品見本３１を保持する部位の突起ＰＪに目印（例えば、矢印や凸記号）を付すとともにシート状商品見本３１の対応する箇所に目印（例えば、矢印や凹記号）を付し、当該目印を合致させてシート状商品見本３１を差し込むようにすることもできる。
【００５０】
前述したように本発明の各実施の形態に係る自動販売機の商品見本展示装置によれば、庫内に商品を収納した本体キャビネット１０と、この本体キャビネット１０の前面を開閉する外扉２０と、この外扉２０に開閉可能に支持された中扉６０および外扉２０前面を覆う透明板４０との間に画成されたディスプレイ室５０と、前記透明板４０の前面に配設された左右方向に複数の商品選択ボタン９１ｃを有し、かつ、前記透明板４０の背面側に配設された上部フランジ１０１と下部フランジ１０２を有する略Ｃ字状の取付金具１００により前記商品選択ボタン９１ｃを透明板４０の前面に固着してなる商品選択ボタン装置９０を備えた自動販売機の商品見本展示装置において、横長帯状の商品情報表示部材２の装着部１１および当該装着部１１の上部に連ねて形成されるとともに複数の商品見本３を左右に並べて展示するステージ状の商品見本展示部１２からなるディスプレイ台１Ａ，１Ｂ，１Ｃ，１Ｄを透明材料により形成し、前記装着部１１を略Ｃ字状の取付金具１００の上部フランジ１０１と下部フランジ１０２に跨る態様で取付金具１００に着脱自在に係止してなることにより、ディスプレイ室５０を画成する中扉６０にディスプレイ台１Ａ，１Ｂ，１Ｃ，１Ｄを係止する必要がないので、中扉６０の前面の全領域を訴求面として活用することができるとともに中扉６０の訴求面にポスターを貼り付ける場合にもディスプレイ台１Ａ，１Ｂ，１Ｃ，１Ｄが邪魔になることがなく、ポスターの交換を容易に行うことができる。また、ディスプレイ台１Ａ，１Ｂ，１Ｃ，１Ｄが透明材料により形成されているので、商品見本３を宙に浮かんでいるように際立たせて展示することができる。
【００５１】
なお、上記実施の形態においては、ディスプレイ台１Ａ，１Ｂ，１Ｃ，１Ｄをワンタッチで商品選択ボタン装置９０の取付金具１００に取り付けることができるものついて説明したが、ねじにより着脱自在に取り付けたり、アダプタ部材を介在させることもできるものであり、前述した実施の形態によりこの発明が限定されるものではない。
【符号の説明】
【００５２】
１Ａ，１Ｂ，１Ｃ，１Ｄ…ディスプレイ台、２…商品情報表示部材、３…商品見本、１０…本体キャビネット、１１…装着部、１２，１２Ｄ…商品見本展示部、１３…ホルダー、２０…外扉、２１…冷温表示板、２２…価格表示板、３１…シート状商品見本、３２…立体状商品見本、３３…訴求表示部材、５０…ディスプレイ室、６０…中扉、９０…商品選択ボタン装置、９１…釦ケース、９１ａ…前面カバー、９１ｂ…ベース基板、９１ｃ…商品選択ボタン、９１ｄ…プリント板、９１ｅ…ボス、１００…取付金具、１０１…上フランジ、１０２…下フランジ、１０１ａ係止穴、１０２ａ…係合穴、１１１…基部、１１２…ガイド部、１１３…フック片、１１５…係合突起、１１２Ａ，１１２Ｂ…係止部、１２２，１２２Ｄ…保持溝。
【図１】
2014002709.tif 000003
【図２】
2014002709.tif 000004
【図３】
2014002709.tif 000005
【図４】
2014002709.tif 000006
【図５】
2014002709.tif 000007
【図６】
2014002709.tif 000008
【図７】
2014002709.tif 000009
【図８】
2014002709.tif 000010
【図９】
2014002709.tif 000011